(57)【要約】【課題】  異なる条件、及び異なる環境下に存在する分析対象ごとに最適な特有変動数値を解析し、さらに時間の経過に伴いそれを適時に解析しなおすことで正確さを維持しながら、顧客の使用する相場分析ソフト向けに、顧客の要求に応じて最新の特有変動数値を提供するシステムを構築する。【解決手段】  各種通信手段を使用して分析対象の情報を収集する手段と、各種通信手段では収集不可能な分析対象に関する情報を入力する手段と、収集された全情報を記録する手段と、収集された全情報に基づき分析対象の特有変動数値を解析する手段と、解析された特有変動数値を記録する手段と、各種相場分析ソフトに対して記録されている分析対象ごとの特有変動数値を各種通信手段を使用して提供する手段とを備えることを特徴とするシステムにより、この課題を解決する。【選択図】図１
2007280333.tif 000002
【特許請求の範囲】
【請求項１】
各種通信手段を使用して分析対象の情報を収集する手段と、各種通信手段では収集不可能な分析対象に関する情報を入力する手段と、収集された全情報を記録する手段と、収集された全情報に基づき分析対象の特有変動数値を解析する手段と、解析された特有変動数値を記録する手段と、各種相場分析ソフトに対して記録されている分析対象ごとの特有変動数値を各種通信手段を使用して提供する手段とを備えることを特徴とする、相場分析ソフト向けの分析対象ごとの特有変動数値の解析システム、及び提供システム
【発明の詳細な説明】
【技術分野】
【０００１】  本発明は、各種情報から分析対象ごとの特有変動数値を解析するシステムと、各種相場分析ソフトに対して分析対象ごとの特有変動数値を提供するシステムに関する。
【背景技術】
【０００２】  現在、インターネット等の各種通信網、及びパソコン等の分析ツールを使用した相場分析は投資家にとっては一般的であり、当然知られたる手法として行われている。【０００３】  また、従来のパソコン等による各種分析ツールでは、全ての分析対象を変動しない同一固定数値を使用して分析を行うのが一般的である。例えば、ＲＳＩという分析手法を使用する分析ツールでは、使用する同一固定数値は、「９日」となりこれは変動するものではない。【０００４】  しかし、投資家の分析対象はそれぞれ異なる条件、及び異なる環境下に存在するため、この一般的な手法による同一固定数値は有効ではないという弊害が発生しているが、この弊害に気づいていたとしてもその解決法も正しい解析法も分からないため、変動しない同一固定数値による分析に頼らざるを得ないのが現状である。【０００５】  前記の弊害に気づいている投資家で、前記を解決する解析法を修得した一部の方は、独自にパソコン等の各種分析ツールに入力し設定するために、個別の分析対象に最適な分析対象専用固定数値を別の計算ソフト等を利用して独自で解析し、分析対象の分析を行っているが、分析対象に関する多大なる関連情報の取得に時間や経費がかかるため、余計な労力が発生し利便性に欠けるという弊害が発生する。【０００６】  また、前記の分析対象専用固定数値を独自で解析している投資家でも、収集情報の取得に多大なる労力が発生するため、分析対象の経済要因は時間の経過とともに変化しているにも関わらず、一度解析した分析対象専用固定数値を変更せずに使用している。これにより、時間の経過とともに分析結果が正しくなくなるという弊害が発生することが一般的に知られている。
【発明が解決しようとする課題】
【０００７】  本発明の目的は、異なる条件、及び異なる環境下に存在する分析対象ごとに最適な特有変動数値を解析し、さらに時間の経過に伴い特有変動数値を適時に解析しなおすことで正確さを維持しながら、顧客の使用する相場分析ソフト向けに、顧客の要求に応じて最新の特有変動数値を提供するシステムを構築することである。
【課題を解決するための手段】
【０００８】  請求項１の発明は、各種通信手段を使用して分析対象の情報を収集する手段と、各種通信手段では収集不可能な分析対象に関する情報を入力する手段と、収集された全情報を記録する手段と、収集された全情報に基づき分析対象の特有変動数値を解析する手段と、解析された特有変動数値を記録する手段と、各種相場分析ソフトに対して記録されている分析対象ごとの特有変動数値を各種通信手段を使用して提供する手段とを備えることを特徴とするものである。
【発明を実施するための最良の形態】
【０００９】  図１は、本発明による相場分析ソフト向けの分析対象ごとの特有変動数値の解析システム、及び提供システムの実施の形態の説明図である。【００１０】  本実施形態の相場分析ソフト向けの分析対象ごとの特有変動数値の解析システム、及び提供システムは、情報収集手段１、情報入力手段２、収集情報記録手段３、特有変動数値解析手段４、特有変動数値記録手段５、特有変動数値提供手段６を有する。【００１１】  情報収集手段１は、分析対象ごとの特有変動数値の解析に必要な随時変動している相場要因、経済要因、個別要因等に関する情報を各種情報源より各種通信手段を使用して適時収集する、若しくは情報収集手段１に対して提供される各種要因に関する情報を受信し、適時収集情報記録手段３に送信する。【００１２】  相場要因とは、相場分析に影響を与えるとされる代表的な相場指標等であり、経済要因とは、相場分析に影響を与えるとされる経済指標等であり、個別要因とは、分析対象ごとの相場分析に影響を与えるとされる個別指標等のことである。各種情報源とは、ウェブサイト、情報提供サービス等のことである。【００１３】  情報入力手段２は、情報収集手段１で収集、若しくは受信することができない相場要因、経済要因、個別要因等に関するもので解析に必要な全ての情報を、収集情報記録手段３に接続可能で情報の入力が可能な情報入力装置を利用することにより記録する。情報入力装置とは、キーボード、マウス、テンキー、マイク、タッチペン等のことである。【００１４】  収集情報記録手段３は、情報収集手段１と情報入力手段２とによって、収集、受信、若しくは入力された情報を記録媒体に記録し、その全部又は一部を特有変動数値解析手段４に適時送信する。また、特有変動数値解析手段４からの情報取得要求があれば、その要求に応じる。【００１５】  特有変動数値解析手段４は、収集情報記録手段３からの送信された情報、又は収集情報記録手段３に対して要求した情報をもとに特有変動数値を解析する。解析された特有変動数値は、特有変動数値記録手段５に送信される。【００１６】  特有変動数値記録手段５は、特有変動数値解析手段４によって解析された特有変動数値を記録媒体に記録し、その全部又は一部を特有変動数値提供手段６からの特有変動数値取得要求があれば、その要求に応じる。特有変動数値は適時解析され、その都度最新の特有変動数値に変更されるので、変更前の特有変動数値は特有変動数値記録手段５の中の別の記録媒体に送信、記録される。特有変動数値提供手段６は過去の特有変動数値に対しての取得要求はできない。【００１７】  特有変動数値提供手段６は、特有変動数値記録手段５に記録されている最新の特有変動数値の全部又は一部を適時取得し、各種通信手段を使用して顧客の使用する相場分析ソフト向けに提供する。【００１８】  顧客は、現在使用しているソフトを使用することが可能なので、新規ソフトの導入コストがかからないだけでなく、新しいソフトの操作方法を覚えたりする必要もない上に、特有変動数値の解析を行う必要もなくなるので、迅速に本来の目的である分析対象の正確な分析を行うことができる。
【発明の効果】
【００１９】  以上の説明から明らかなように、本発明により、異なる条件、及び異なる環境下に存在する分析対象に最適な特有変動数値を解析し、顧客の使用する相場分析ソフト向けに、顧客の要求に応じて特有変動数値を提供するシステムを提供することによって、顧客は独自に分析する時間と経費を削減できるだけでなく、分析対象ごとに最適な最新の特有変動数値を取得可能なので、より精度の高い相場分析が可能となる。
【００２０】  また、事業者においては本発明の相場分析ソフト向けの分析対象ごとの特有変動数値の解析システム、及び提供システムを採用することにより、既存サービスとの差別化を図り、顧客の利便性を大幅に向上させることができるサービスを提供することが可能となる。
【図面の簡単な説明】
【００２１】
【図１】  相場分析ソフト向けの分析対象ごとの特有変動数値の解析システム、及び提供システムの実施の形態の説明図である。
【符号の説明】
【００２２】  １  各種通信手段を使用して分析対象の情報を収集する手段
２  各種通信手段では収集不可能な分析対象に関する情報を入力する手段
３  収集された全情報を記録する手段
４  収集された全情報に基づき分析対象の特有変動数値を解析する手段
５  解析された特有変動数値を記録する手段
６  各種相場分析ソフトに対して記録されている分析対象ごとの特有変動数値を各種通信手段を使用して提供する手段
７  各種通信網
８  各種相場分析ソフト
【図１】
2007280333.tif 000003